(57)【要約】【課題】  より効果的にスケジュールの通知を行う。【解決手段】  スケジュール情報を作成したユーザは、当該スケジュールに関連する他のユーザに対して、上記スケジュール情報を添付した電子メールを送信する。この電子メールを受信した各ユーザは、スケジュールに対する出欠を表明する電子メールを、当該スケジュールに関連する全てのユーザに返信する。各ユーザの携帯電話機は、この返信された電子メールで表明された出欠状況を検出し、各ユーザのステータスとして記憶する。そして、スケジュールのアラーム時刻となった際に、当該スケジュールに関連する各ユーザの顔写真等の静止画像に、該各ユーザのユーザ名及び参加或いは欠席を示すステータス情報を付して表示部に表示すると共に、各ユーザの静止画像をステータスに応じた色の枠で囲んで表示する。各ユーザの参加／欠席等が一目瞭然となり、効果的にスケジュールの通知を行うことができる。【選択図】  図５
2009151425.tif 000002
【特許請求の範囲】
【請求項１】
スケジュール情報、及び当該スケジュール情報に関連する各ユーザの電子メールアドレスが付加された電子メールを受信し、この受信した電子メールに付加されている上記スケジュール情報で示されるスケジュールに対する参加或いは欠席を示す電子メールを、上記スケジュール情報が付加された電子メールの送信元となるユーザの電子メールアドレス宛、及び上記受信した電子メールに付加されている上記各ユーザの電子メールアドレス宛に送信し、上記受信した電子メールに付加されている上記電子メールアドレスに対応する各ユーザから送信された、上記スケジュールに対する参加或いは欠席を示す電子メールの受信を行うための電子メール送受信手段と、
少なくとも各ユーザの電子メールアドレスと、該各ユーザのユーザ名と、該各ユーザの静止画像が記憶された個人情報メモリと、
上記電子メール送受信手段を介して受信した各電子メールに基づいて、当該電子メールの送信元となる各ユーザの、上記スケジュールに対するステータスを検出し、このステータスを示すステータス情報を、上記各ユーザの電子メールアドレスに関連付けて記憶するステータステーブルと、
現在時刻を計時する計時手段と、
上記計時手段で計時される現在時刻が、上記スケジュール情報で示されるスケジュールのアラーム時刻となるまでの間、上記ステータステーブルに記憶されている各ユーザのステータス情報を、上記送受信した上記スケジュールに対する参加或いは欠席を示す電子メールで示されるステータスのステータス情報に書き換えるステータス書き換え手段と、
上記計時手段で計時される現在時刻が、上記スケジュール情報で示されるスケジュールのアラーム時刻となった際に、上記ステータステーブルから各ユーザのステータス情報を読み出すと共に、上記ステータステーブルに記憶されている各ユーザの電子メールアドレスに基づいて、上記個人情報メモリから当該各ユーザのユーザ名、及び該各ユーザの静止画像を読み出し、この読み出した各ユーザの静止画像に、対応する上記ユーザ名及び上記ステータス情報を付加して表示手段に表示するアラーム手段と
を有するスケジューラ装置。
【請求項２】
請求項１に記載のスケジューラ装置であって、
上記アラーム手段は、上記各ユーザの静止画像を、該各ユーザのステータス情報に対応した色の枠で囲んで表示すること
を特徴とするスケジューラ装置。
【請求項３】
電子メール送受信手段が、スケジュール情報、及び当該スケジュール情報に関連する各ユーザの電子メールアドレスが付加された電子メールを受信するステップと、
電子メール送受信手段が、上記受信した電子メールに付加されている上記スケジュール情報で示されるスケジュールに対する参加或いは欠席を示す電子メールを、上記スケジュール情報が付加された電子メールの送信元となるユーザの電子メールアドレス宛、及び上記受信した電子メールに付加されている上記各ユーザの電子メールアドレス宛に送信するステップと、
電子メール送受信手段が、上記受信した電子メールに付加されている上記電子メールアドレスに対応する各ユーザから送信された、上記スケジュールに対する参加或いは欠席を示す電子メールを受信するステップと、
ステータス検出手段が、上記電子メール送受信手段を介して受信した各電子メールに基づいて、当該電子メールの送信元となる各ユーザの、上記スケジュールに対するステータスを検出し、このステータスを示すステータス情報を、上記各ユーザの電子メールアドレスに関連付けてステータステーブルに記憶するステップと、
計時手段が現在時刻を計時するステップと、
上記計時手段で計時される現在時刻が、上記スケジュール情報で示されるスケジュールのアラーム時刻となるまでの間、ステータス書き換え手段が、上記ステータステーブルに記憶されている各ユーザのステータス情報を、上記送受信した上記スケジュールに対する参加或いは欠席を示す電子メールで示されるステータスのステータス情報に書き換えるステップと、
上記計時手段で計時される現在時刻が、上記スケジュール情報で示されるスケジュールのアラーム時刻となった際に、アラーム手段が、上記ステータステーブルから各ユーザのステータス情報を読み出すと共に、上記ステータステーブルに記憶されている各ユーザの電子メールアドレスに基づいて、少なくとも各ユーザの電子メールアドレスと、該各ユーザのユーザ名と、該各ユーザの静止画像が記憶された個人情報メモリから当該各ユーザのユーザ名、及び該各ユーザの静止画像を読み出し、この読み出した各ユーザの静止画像に、対応する上記ユーザ名及び上記ステータス情報を付加して表示手段に表示するステップと
を有するスケジュール通知方法。
【請求項４】
スケジュール情報、及び当該スケジュール情報に関連する各ユーザの電子メールアドレスが付加された電子メールを受信し、この受信した電子メールに付加されている上記スケジュール情報で示されるスケジュールに対する参加或いは欠席を示す電子メールを、上記スケジュール情報が付加された電子メールの送信元となるユーザの電子メールアドレス宛、及び上記受信した電子メールに付加されている上記各ユーザの電子メールアドレス宛に送信し、上記受信した電子メールに付加されている上記電子メールアドレスに対応する各ユーザから送信された、上記スケジュールに対する参加或いは欠席を示す電子メールの受信を行うように電子メール送受信手段を制御する電子メール送受信制御手段としてコンピュータを機能させ、
上記電子メール送受信手段を介して受信した各電子メールに基づいて、当該電子メールの送信元となる各ユーザの、上記スケジュールに対するステータスを検出し、このステータスを示すステータス情報を、上記各ユーザの電子メールアドレスに関連付けてステータステーブルに記憶するようにステータス検出手段を制御するステータス検出制御手段としてコンピュータを機能させ、
現在時刻を計時するように計時手段を制御する計時制御手段としてコンピュータを機能させ、
上記計時手段で計時される現在時刻が、上記スケジュール情報で示されるスケジュールのアラーム時刻となるまでの間、上記ステータステーブルに記憶されている各ユーザのステータス情報を、上記送受信した上記スケジュールに対する参加或いは欠席を示す電子メールで示されるステータスのステータス情報に書き換えるようにステータス書き換え手段を制御するステータス書き換え制御手段としてコンピュータを機能させ、
上記計時手段で計時される現在時刻が、上記スケジュール情報で示されるスケジュールのアラーム時刻となった際に、上記ステータステーブルから各ユーザのステータス情報を読み出すと共に、上記ステータステーブルに記憶されている各ユーザの電子メールアドレスに基づいて、少なくとも各ユーザの電子メールアドレスと、該各ユーザのユーザ名と、該各ユーザの静止画像が記憶された個人情報メモリから当該各ユーザのユーザ名、及び該各ユーザの静止画像を読み出し、この読み出した各ユーザの静止画像に、対応する上記ユーザ名及び上記ステータス情報を付加して表示手段に表示するようにアラーム手段を制御するアラーム制御手段としてコンピュータを機能させること
を特徴とするスケジュール管理プログラム。
【請求項５】
スケジュール情報、及び当該スケジュール情報に関連する各ユーザの電子メールアドレスが付加された電子メールを受信し、この受信した電子メールに付加されている上記スケジュール情報で示されるスケジュールに対する参加或いは欠席を示す電子メールを、上記スケジュール情報が付加された電子メールの送信元となるユーザの電子メールアドレス宛、及び上記受信した電子メールに付加されている上記各ユーザの電子メールアドレス宛に送信し、上記受信した電子メールに付加されている上記電子メールアドレスに対応する各ユーザから送信された、上記スケジュールに対する参加或いは欠席を示す電子メールの受信を行うための電子メール送受信手段と、
少なくとも各ユーザの電子メールアドレスと、該各ユーザのユーザ名と、該各ユーザの静止画像が記憶された個人情報メモリと、
上記電子メール送受信手段を介して受信した各電子メールに基づいて、当該電子メールの送信元となる各ユーザの、上記スケジュールに対するステータスを検出し、このステータスを示すステータス情報を、上記各ユーザの電子メールアドレスに関連付けて記憶するステータステーブルと、
現在時刻を計時する計時手段と、
上記計時手段で計時される現在時刻が、上記スケジュール情報で示されるスケジュールのアラーム時刻となるまでの間、上記ステータステーブルに記憶されている各ユーザのステータス情報を、上記送受信した上記スケジュールに対する参加或いは欠席を示す電子メールで示されるステータスのステータス情報に書き換えるステータス書き換え手段と、
上記計時手段で計時される現在時刻が、上記スケジュール情報で示されるスケジュールのアラーム時刻となった際に、上記ステータステーブルから各ユーザのステータス情報を読み出すと共に、上記ステータステーブルに記憶されている各ユーザの電子メールアドレスに基づいて、上記個人情報メモリから当該各ユーザのユーザ名、及び該各ユーザの静止画像を読み出し、この読み出した各ユーザの静止画像に、対応する上記ユーザ名及び上記ステータス情報を付加して表示手段に表示するアラーム手段と
を有する携帯端末装置。
【発明の詳細な説明】
【技術分野】
【０００１】
本発明は、通信機能を備えた、例えば携帯電話機、ＰＨＳ電話機（PHS：Personal Handyphone System）、ＰＤＡ装置（PDA：Personal Digital Assistant）、携帯ゲーム機、デジタルカメラ装置、ノート型或いはデスクトップ型のパーソナルコンピュータ装置等の携帯機器に適用して好適な情報処理装置、情報処理方法、情報処理プログラム及び携帯端末装置に関し、特に、より効果的なスケジュールの通知を可能としたスケジューラ装置、スケジュール通知方法、スケジュール管理プログラム、及び携帯端末装置に関する。
【背景技術】
【０００２】
今日において広く普及している携帯電話機にはスケジューラ機能が設けられている場合が多い。このスケジューラ機能は、ユーザにより設定された時刻となると、アラーム音の出力やバイブレータ駆動と共に、表示部に対して画像やスケジュール内容の文字出力を行うことで、ユーザに対してスケジュールの通知を行う。しかし、このようなスケジューラ機能を用いる場合、アラーム時刻やスケジュール内容等の煩わしい設定が必要となる。また、スケジュールの通知形態が、アラーム音、画像、文字に限られている。
【０００３】
特開２００６−２２２７２７号の公開特許公報（特許文献１）には、このようなスケジュール設定の煩わしさを解消すると共に、豊富な通知形態でスケジュールの通知を可能とした携帯電話装置が開示されている。この携帯電話装置の場合、他の携帯電話装置からスケジュール情報、及びこのスケジュールに関連する動画、静止画像、音楽データ、音声データ等のマルチメディア情報を受信し、これらを全て関連付けて登録しておく。これにより、上記他の携帯電話装置からスケジュール情報等を受信するだけで、自分の携帯電話装置に対して自動的にスケジュール設定がなされるため、該スケジュール設定の煩わしさが解消される。また、スケジュールのアラーム時刻となると、当該スケジュール情報に関連付けられた上記マルチメディア情報を再生する。これにより、豊富な通知形態でスケジュールの通知が可能となる。
【０００４】
【特許文献１】特開２００６−２２２７２７号公報
【発明の開示】
【発明が解決しようとする課題】
【０００５】
しかし、上述の特許文献１に開示されている携帯電話装置の場合、スケジュール情報を送信する送信者側が、スケジュール通知用のマルチメディア情報を、毎回、作成して送信する必要があるため、このマルチメディア情報の作成が大変面倒となる問題がある。
【０００６】
また、上述の特許文献１に開示されている携帯電話装置の場合、上記マルチメディア情報の再生により、スケジュールの通知を豊富な通知形態で行うことが可能であるが、このマルチメディア情報の再生による通知形態は、当該マルチメディア情報及びスケジュール情報の送信を行ったユーザが決めた通知形態である。このため、スケジュールの通知形態が他のユーザの嗜好に依存したものとなるため、この通知形態が、上記マルチメディア情報を再生する携帯電話装置のユーザに対して効果的な通知形態になるとは限らない問題がある。
【０００７】
本発明は、上述の課題に鑑みてなされたものであり、マルチメディア情報でスケジュールの通知を行うよりも、簡単かつ効果的な通知形態でスケジュールの通知を行うことができるようなスケジューラ装置、スケジュール通知方法、スケジュール管理プログラム、及び携帯端末装置の提供を目的とする。
【課題を解決するための手段】
【０００８】
本発明に係るスケジューラ装置は、上述の課題を解決するための手段として、
スケジュール情報、及び当該スケジュール情報に関連する各ユーザの電子メールアドレスが付加された電子メールを受信し、この受信した電子メールに付加されている上記スケジュール情報で示されるスケジュールに対する参加或いは欠席を示す電子メールを、上記スケジュール情報が付加された電子メールの送信元となるユーザの電子メールアドレス宛、及び上記受信した電子メールに付加されている上記各ユーザの電子メールアドレス宛に送信し、上記受信した電子メールに付加されている上記電子メールアドレスに対応する各ユーザから送信された、上記スケジュールに対する参加或いは欠席を示す電子メールの受信を行うための電子メール送受信手段と、
少なくとも各ユーザの電子メールアドレスと、該各ユーザのユーザ名と、該各ユーザの静止画像が記憶された個人情報メモリと、
上記電子メール送受信手段を介して受信した各電子メールに基づいて、当該電子メールの送信元となる各ユーザの、上記スケジュールに対するステータスを検出し、このステータスを示すステータス情報を、上記各ユーザの電子メールアドレスに関連付けて記憶するステータステーブルと、
現在時刻を計時する計時手段と、
上記計時手段で計時される現在時刻が、上記スケジュール情報で示されるスケジュールのアラーム時刻となるまでの間、上記ステータステーブルに記憶されている各ユーザのステータス情報を、上記送受信した上記スケジュールに対する参加或いは欠席を示す電子メールで示されるステータスのステータス情報に書き換えるステータス書き換え手段と、
上記計時手段で計時される現在時刻が、上記スケジュール情報で示されるスケジュールのアラーム時刻となった際に、上記ステータステーブルから各ユーザのステータス情報を読み出すと共に、上記ステータステーブルに記憶されている各ユーザの電子メールアドレスに基づいて、上記個人情報メモリから当該各ユーザのユーザ名、及び該各ユーザの静止画像を読み出し、この読み出した各ユーザの静止画像に、対応する上記ユーザ名及び上記ステータス情報を付加して表示手段に表示するアラーム手段と
を有する。
【０００９】
また、本発明に係るスケジュール通知方法は、上述の課題を解決するための手段として、
電子メール送受信手段が、スケジュール情報、及び当該スケジュール情報に関連する各ユーザの電子メールアドレスが付加された電子メールを受信するステップと、
電子メール送受信手段が、上記受信した電子メールに付加されている上記スケジュール情報で示されるスケジュールに対する参加或いは欠席を示す電子メールを、上記スケジュール情報が付加された電子メールの送信元となるユーザの電子メールアドレス宛、及び上記受信した電子メールに付加されている上記各ユーザの電子メールアドレス宛に送信するステップと、
電子メール送受信手段が、上記受信した電子メールに付加されている上記電子メールアドレスに対応する各ユーザから送信された、上記スケジュールに対する参加或いは欠席を示す電子メールを受信するステップと、
ステータス検出手段が、上記電子メール送受信手段を介して受信した各電子メールに基づいて、当該電子メールの送信元となる各ユーザの、上記スケジュールに対するステータスを検出し、このステータスを示すステータス情報を、上記各ユーザの電子メールアドレスに関連付けてステータステーブルに記憶するステップと、
計時手段が現在時刻を計時するステップと、
上記計時手段で計時される現在時刻が、上記スケジュール情報で示されるスケジュールのアラーム時刻となるまでの間、ステータス書き換え手段が、上記ステータステーブルに記憶されている各ユーザのステータス情報を、上記送受信した上記スケジュールに対する参加或いは欠席を示す電子メールで示されるステータスのステータス情報に書き換えるステップと、
上記計時手段で計時される現在時刻が、上記スケジュール情報で示されるスケジュールのアラーム時刻となった際に、アラーム手段が、上記ステータステーブルから各ユーザのステータス情報を読み出すと共に、上記ステータステーブルに記憶されている各ユーザの電子メールアドレスに基づいて、少なくとも各ユーザの電子メールアドレスと、該各ユーザのユーザ名と、該各ユーザの静止画像が記憶された個人情報メモリから当該各ユーザのユーザ名、及び該各ユーザの静止画像を読み出し、この読み出した各ユーザの静止画像に、対応する上記ユーザ名及び上記ステータス情報を付加して表示手段に表示するステップと
を有する。
【００１０】
また、本発明に係るスケジュール管理プログラムは、
スケジュール情報、及び当該スケジュール情報に関連する各ユーザの電子メールアドレスが付加された電子メールを受信し、この受信した電子メールに付加されている上記スケジュール情報で示されるスケジュールに対する参加或いは欠席を示す電子メールを、上記スケジュール情報が付加された電子メールの送信元となるユーザの電子メールアドレス宛、及び上記受信した電子メールに付加されている上記各ユーザの電子メールアドレス宛に送信し、上記受信した電子メールに付加されている上記電子メールアドレスに対応する各ユーザから送信された、上記スケジュールに対する参加或いは欠席を示す電子メールの受信を行うように電子メール送受信手段を制御する電子メール送受信制御手段としてコンピュータを機能させ、
上記電子メール送受信手段を介して受信した各電子メールに基づいて、当該電子メールの送信元となる各ユーザの、上記スケジュールに対するステータスを検出し、このステータスを示すステータス情報を、上記各ユーザの電子メールアドレスに関連付けてステータステーブルに記憶するようにステータス検出手段を制御するステータス検出制御手段としてコンピュータを機能させ、
現在時刻を計時するように計時手段を制御する計時制御手段としてコンピュータを機能させ、
上記計時手段で計時される現在時刻が、上記スケジュール情報で示されるスケジュールのアラーム時刻となるまでの間、上記ステータステーブルに記憶されている各ユーザのステータス情報を、上記送受信した上記スケジュールに対する参加或いは欠席を示す電子メールで示されるステータスのステータス情報に書き換えるようにステータス書き換え手段を制御するステータス書き換え制御手段としてコンピュータを機能させ、
上記計時手段で計時される現在時刻が、上記スケジュール情報で示されるスケジュールのアラーム時刻となった際に、上記ステータステーブルから各ユーザのステータス情報を読み出すと共に、上記ステータステーブルに記憶されている各ユーザの電子メールアドレスに基づいて、少なくとも各ユーザの電子メールアドレスと、該各ユーザのユーザ名と、該各ユーザの静止画像が記憶された個人情報メモリから当該各ユーザのユーザ名、及び該各ユーザの静止画像を読み出し、この読み出した各ユーザの静止画像に、対応する上記ユーザ名及び上記ステータス情報を付加して表示手段に表示するようにアラーム手段を制御するアラーム制御手段としてコンピュータを機能させることで、上述の課題を解決する。
【００１１】
また、本発明に係る携帯端末装置は、上述の課題を解決するための手段として、
スケジュール情報、及び当該スケジュール情報に関連する各ユーザの電子メールアドレスが付加された電子メールを受信し、この受信した電子メールに付加されている上記スケジュール情報で示されるスケジュールに対する参加或いは欠席を示す電子メールを、上記スケジュール情報が付加された電子メールの送信元となるユーザの電子メールアドレス宛、及び上記受信した電子メールに付加されている上記各ユーザの電子メールアドレス宛に送信し、上記受信した電子メールに付加されている上記電子メールアドレスに対応する各ユーザから送信された、上記スケジュールに対する参加或いは欠席を示す電子メールの受信を行うための電子メール送受信手段と、
少なくとも各ユーザの電子メールアドレスと、該各ユーザのユーザ名と、該各ユーザの静止画像が記憶された個人情報メモリと、
上記電子メール送受信手段を介して受信した各電子メールに基づいて、当該電子メールの送信元となる各ユーザの、上記スケジュールに対するステータスを検出し、このステータスを示すステータス情報を、上記各ユーザの電子メールアドレスに関連付けて記憶するステータステーブルと、
現在時刻を計時する計時手段と、
上記計時手段で計時される現在時刻が、上記スケジュール情報で示されるスケジュールのアラーム時刻となるまでの間、上記ステータステーブルに記憶されている各ユーザのステータス情報を、上記送受信した上記スケジュールに対する参加或いは欠席を示す電子メールで示されるステータスのステータス情報に書き換えるステータス書き換え手段と、
上記計時手段で計時される現在時刻が、上記スケジュール情報で示されるスケジュールのアラーム時刻となった際に、上記ステータステーブルから各ユーザのステータス情報を読み出すと共に、上記ステータステーブルに記憶されている各ユーザの電子メールアドレスに基づいて、上記個人情報メモリから当該各ユーザのユーザ名、及び該各ユーザの静止画像を読み出し、この読み出した各ユーザの静止画像に、対応する上記ユーザ名及び上記ステータス情報を付加して表示手段に表示するアラーム手段と
を有する。
【００１２】
このような本発明は、スケジュールを共有する各ユーザ間で電子メールの送受信を行うことで、当該スケジュールを共有する各ユーザのスケジュールに対する参加や欠席等のステータスを示すステータス情報をステータステーブルに記憶しておく。そして、スケジュールのアラーム時刻となった際に、個人情報メモリに記憶されている上記各ユーザの静止画像やユーザ名と共に、上記ステータステーブルに記憶されている各ユーザのステータス情報を表示手段に一覧的に表示する。これにより、スケジュールを共有する全てのユーザが、当該スケジュールに関連している各ユーザ、及び各ユーザの参加／欠席等のステータスを一目瞭然に認識することができ、簡単かつ効果的にスケジュールの通知を行うことができる。
【発明の効果】
【００１３】
本発明は、マルチメディア情報でスケジュールの通知を行うよりも、簡単かつ効果的な通知形態でスケジュールの通知を行うことができる。
【発明を実施するための最良の形態】
【００１４】
本発明は、スケジューラシステムを構成する、スケジューラ機能を備えた携帯電話機に適用することができる。
【００１５】
［システム構成］
この本発明を適用した実施の形態となる携帯電話機は、図１に示すスケジューラシステムで用いられる。この図１において、スケジューラシステムは、例えば会議の出席依頼等のスケジュール情報を送信する、当該会議の（スケジュールの）主催者に相当するユーザＡの携帯電話機１と、この主催者の携帯電話機１からのスケジュール情報を受信する、上記会議の（スケジュールの）招待者に相当するユーザＢ〜ユーザＤの携帯電話機２〜４を、無線基地局５を介した無線通信を可能とするコミュニケーションネットワーク等の所定のネットワーク６を介して相互に接続することで構成されている。
【００１６】
〔携帯電話機の構成〕
各携帯電話機１〜４は、図２に示すように上記無線基地局５との間で音声通話、テレビ電話通話、電子メール、Ｗｅｂデータ（Web：World Wide Web）、スケジュール情報等の無線通信を行うアンテナ１１及び通信回路１２と、操作メニュー、電子メール、画像（静止画像及び動画像）やスケジュール情報等を表示するための表示部１３と、所望のメニューの選択操作やスケジュールの入力操作等を行うための操作部１４と、受話音声やスケジュールのアラーム音等を出力するためのスピーカ部１５とを有している。
【００１７】
また、この携帯電話機は、送話音声等を集音するためのマイクロホン部１６と、所望の被写体の静止画像や動画像を撮像するためのカメラ部１７と、発着信やスケジュールの開始等を光でユーザに通知するための発光部１８（LED：Light Emitting Diode）と、筐体を振動させて発着信やスケジュールの開始等をユーザに通知するためのバイブレーションユニット１９と、現在時刻をカウントするＲＴＣ２０（Real Time Clock）と、通信プログラムや各種アプリケーションプログラム等が記憶されたメモリ２１と、当該携帯電話機全体の動作を制御する制御部２２とを有している。
【００１８】
上記メモリ２１には、上記通信プログラムの他、カメラ部１７の撮像制御を行うカメラ制御プログラム、電子メールの作成や送受信を制御するための電子メール管理プログラム、ユーザにより登録されたスケジュールや、上記主催者の携帯電話機１から受信したスケジュール情報に対応するスケジュールの管理を行うためのスケジュール管理プログラム、所望のＷｅｂページの閲覧を行うためのＷｅｂブラウジングプログラム、電話帳の管理を行うための電話帳管理プログラム、音楽コンテンツの再生を行うための音楽プレーヤプログラム等の各種アプリケーションプログラムが記憶されている。
【００１９】
また、上記メモリ２１には、当該携帯電話機のユーザのスケジュール情報や上記主催者の携帯電話機１から受信したスケジュール情報が登録されるスケジュール帳、ユーザの知人や友人等のユーザ名、静止画像（顔写真等）、住所、電話番号、電子メールアドレス、生年月日等が登録された電話帳、音楽プレーヤプログラムに基づいて再生される音楽コンテンツ、カメラ制御プログラムのビューワ機能に基づいて再生される静止画像コンテンツ及び動画像コンテンツ、送受信された電子メールコンテンツ、電話及び電子メールの発着信履歴等が記憶されている。
【００２０】
［システム動作］
次に、このような構成を有するスケジューラシステムの動作を説明する。
【００２１】
〔主催者側の携帯電話機の動作〕
図３は、このスケジューラシステムを構成する携帯電話機１〜４のメモリ２１に記憶されているスケジュール管理プログラムの機能ブロック図である。この図３において、スケジュールの主催者であるユーザＡは、スケジュールの登録を行う場合、スケジュール管理プログラムを起動操作する。主催者の携帯電話機１の制御部２２は、このスケジュール管理プログラムを起動操作がなされると、スケジュール情報作成部３１として機能し、スケジュール作成画面を表示部１３に表示する。このスケジュール作成画面に対して、主催者により上記会議の開始時刻や開始場所等の所望のスケジュールの入力がなされると、スケジュール情報作成部３１として機能している制御部２２は、この主催者により入力されたスケジュールのスケジュール情報を、スケジュール情報蓄積部３２として機能するメモリ２１のスケジュール帳に登録する。
【００２２】
次に、主催者は、このように所望のスケジュールの登録が終了すると、操作部１４を介して電子メールの作成を指定する。この電子メールの作成が指定されると、制御部２２は、図３に示す送信情報作成部３３として機能し、電子メールの作成画面を表示部１３に表示する。主催者は、この電子メールの作成画面に対して、例えば会議に対する出席依頼等の所望の文章を入力し、スケジュール情報蓄積部３２に登録された上記スケジュール情報を添付し、図１に示す各招待者である、ユーザＢ〜ユーザＤの全員の電子メールアドレスを付し（＝１通の電子メールに対してユーザＢ〜ユーザＤの全員の電子メールアドレスが付されている。）、これを上記ユーザＢ〜ユーザＤの各携帯電話機２〜４に送信する。
【００２３】
この電子メールの送信がなされると、制御部２２は、送受信情報蓄積部３４として機能するメモリ２１に、この送信済みの電子メールを保存制御する。また、上記電子メールの送信がなされると、制御部２２は、送受信検知部３５として機能することで、上記電子メールの送信を検知する。そして、この電子メールの送信を検知すると、制御部２２は、送受信情報解析部３６として機能し、上記送信情報蓄積部３４として機能したメモリ２１に記憶されている上記送信した電子メールを解析し、この電子メールにスケジュール情報が添付されていた場合、送信先アドレスに基づいて、上記送信したスケジュール情報に対応する各ユーザの出欠状況等を示すステータステーブルを作成し、このステータステーブルを、出欠者情報蓄積部３７として機能するメモリ２１に記憶する。
【００２４】
図４（ａ）に、このステータステーブルの一例を示す。この図４（ａ）からわかるように、ステータステーブルは、当該スケジュールに関係するユーザ名の入力欄と、当該スケジュールに関係する各ユーザの電子メールアドレスの入力欄と、当該スケジュールに関係する各ユーザのステータス情報の入力欄とで構成されている。
【００２５】
制御部２２は、上記スケジュール情報を添付した電子メールの送信元アドレスに基づいて、図３に示す電話帳情報蓄積部３９として機能しているメモリ２１の電話帳を検索することで、この送信元アドレスに対応するユーザ名（＝主催者のユーザＡのユーザ名）を検出して、このステータステーブルに登録する。また、スケジュール情報を添付した電子メールを送信した各送信先アドレスに基づいて、図３に示す電話帳情報蓄積部３９として機能しているメモリ２１の電話帳を検索することで、この送信先アドレスに対応するユーザ名（＝ユーザＢ〜ユーザＤの各ユーザ名）を検出して、このステータステーブルに登録する。
【００２６】
また、この例の場合、スケジュール情報の送信を行ったユーザはユーザＡであるため、制御部２２は、このユーザＡを当該スケジュールの主催者として認識し、当該ユーザＡのステータス情報の入力欄に「主催者」のステータス情報を登録する。
【００２７】
また、制御部２２は、上記スケジュール情報を送信した直後においては、この図４（ａ）に示すように、主催者であるユーザＡを除く、ユーザＢ〜ユーザＤのステータス情報として、スケジュール情報の送信を行ったユーザであることを示す「招待者」のステータス情報を登録する。
【００２８】
後述するが、制御部２２は、電子メールを介してそのスケジュールに対する「参加」が表明された場合には、この参加を表明したユーザのステータス情報を、「参加者」のステータス情報に書き換え、「欠席」を表明したユーザのステータス情報を、「欠席者」のステータス情報に書き換えるようになっている。従って、「参加」或いは「欠席」のいずれの表明もないユーザのステータス情報は、「招待者」のステータス情報が、そのまま維持されることとなる。
【００２９】
〔スケジュール情報が添付された電子メールを受信した携帯電話機の動作〕
一方、主催者の携帯電話機１から、このようにスケジュール情報が添付された電子メールを受信した上記携帯電話機２〜４の制御部２２は、当該受信した電子メールを、受信情報蓄積部３８として機能するメモリ２１に記憶する。また、制御部２２は、この電子メールの受信を、送受信検知部３５として機能することで検知し、送受信情報解析部３６として機能することで、上記受信情報蓄積部３８として機能したメモリ２１に記憶された電子メールを解析する。
【００３０】
そして、この電子メールに、新規なスケジュール情報が添付されていた場合、スケジュール情報蓄積部３２として機能するメモリ２１に対して、この電子メールに添付されている新規なスケジュール情報を記憶すると共に、この電子メールに付されている送信元アドレス及び送信先アドレスに基づいて、電話帳情報蓄積部３９として機能しているメモリ１１の電話帳を参照することで、上記スケジュールを送信したユーザ及び該スケジュールを受信した各ユーザに対応するステータステーブルを作成し、このステータステーブルを、出欠者情報蓄積部３７として機能するメモリ２１に記憶する。これにより、当該スケジュールの主催者であるユーザＡの携帯電話機、及び当該スケジュールに対する招待がなされた各ユーザＢ〜ユーザＤの携帯電話機の各出欠者情報蓄積部３７には、図４（ａ）に示したように、ユーザＡのステータスを「主催者」とし、他の各ユーザＢ〜ユーザＤのステータスを「招待者」としたステータステーブルが記憶されることとなる。
【００３１】
次に、このようなスケジュール情報が添付された電子メールを受信した各ユーザＢ〜ユーザＤは、当該スケジュールに対する「参加」或いは「欠席」を表明することとなる。このスケジュールに対する「参加」或いは「欠席」を表明する場合、各ユーザＢ〜ユーザＤは、制御部２２を送信情報作成部３３として機能させ、「参加」或いは「欠席」を示す文章を入力した電子メールを作成し、この電子メールを、主催者の携帯電話機１及び他のユーザの携帯電話機に送信する（＝主催者から送信された電子メールに付されている全員のユーザ（自分を除く）に送信する。）。
【００３２】
そして、制御部２２は、このようなスケジュールに対する「参加」或いは「欠席」を表明する電子メールの送信を行うと、送受信情報解析部３６として機能することで、当該送信した電子メールの解析を行い、当該スケジュールに対する「参加」或いは「欠席」を検出する。そして、上記送信した電子メールの文章に基づいて上記スケジュールに対する「参加」を検出した場合、出欠者情報蓄積部３７に記憶されているステータステーブルにおける、上記スケジュールに対する「参加」の電子メールを送信したユーザに対応するステータスを「招待者」から「参加者」のステータスに書き換える（＝自分のステータスを「参加者」のステータスの書き換える）。
【００３３】
これに対して、上記送信した電子メールの文章に基づいて上記スケジュールに対する「欠席」を検出した場合、出欠者情報蓄積部３７に記憶されているステータステーブルにおける、上記スケジュールに対する「欠席」の電子メールを送信したユーザに対応するステータスを「招待者」から「欠席者」のステータスに書き換える（＝自分のステータスを「欠席者」のステータスの書き換える）。
【００３４】
一方、スケジュールに対する「参加」或いは「欠席」を表明する電子メールを受信した主催者であるユーザＡの携帯電話機１の制御部２２、及び当該電子メールを受信した他のユーザの携帯電話機の制御部２２は、送受信情報解析部３６として機能することで当該受信した電子メールを解析し、この受信した電子メールの送信元となるユーザの上記スケジュールに対する「参加」或いは「欠席」を検出する。そして、上記送信した電子メールの文章に基づいて上記スケジュールに対する「参加」を検出した場合、出欠者情報蓄積部３７に記憶されているステータステーブルにおける、上記スケジュールに対する「参加」を表明したユーザに対応するステータスを「招待者」から「参加者」のステータスに書き換える。
【００３５】
これに対して、上記送信した電子メールの文章に基づいて上記スケジュールに対する「欠席」を検出した場合、出欠者情報蓄積部３７に記憶されているステータステーブルにおける、上記スケジュールに対する「欠席」を表明したユーザに対応するステータスを「招待者」から「欠席者」のステータスに書き換える。
【００３６】
これにより、当該スケジュールの主催者であるユーザＡの携帯電話機、及び当該スケジュールに対する招待がなされた各ユーザＢ〜ユーザＤの携帯電話機２〜４の各出欠者情報蓄積部３７には、図４（ｂ）に示すように、ユーザＡのステータスを「主催者」とし、「参加」を表明したユーザのステータスが「参加者」に書き換えられ、また、「欠席」を表明したユーザのステータスが「欠席者」に書き換えられたステータステーブルが記憶されることとなる。
【００３７】
なお、この図４（ｂ）は、ユーザＢがスケジュールに対する「参加」を表明し、ユーザＣがスケジュールに対する「欠席」を表明した場合における、ステータステーブルを示している。また、上述のように、スケジュールに対する「参加」或いは「欠席」を表明する電子メールを返信しないユーザのステータスは「招待者」のままとなる。この図４（ｂ）に示す例では、ユーザＤがこれに相当する。
【００３８】
〔スケジュールのアラーム動作〕
次に、主催者の携帯電話機１、及び各ユーザＢ〜ユーザＤの携帯電話機２〜４の制御部２２は、スケジュール情報を受信した時点から、図３に示す時刻管理部４０として機能することで、当該スケジュールのアラーム時刻を監視する。制御部２２は、図１に示すタイマ２０で計時されている現在時刻が、当該スケジュールのアラーム時刻となると、通知制御部４１として機能し、アラーム音の出力制御、バイブレーションユニット１９の駆動制御、発光部１８の点滅或いは点灯制御等の所定のアラーム制御を行うと共に、スケジュール情報蓄積部３２として機能しているメモリ２１からステータステーブルを読み出し、このステータステーブルに登録されている各ユーザの電子メールアドレスに基づいて、電話帳情報蓄積部３９として機能しているメモリ２１の電話帳を参照し、上記ステータステーブルに登録されている各ユーザの顔写真等の静止画像を取得する。なお、電話帳に登録されている各ユーザの静止画像は、画像情報蓄積部４２として機能しているメモリ２１に記憶されている静止画像である。
【００３９】
制御部２２は、上記ステータステーブルに登録されている各ユーザの顔写真等の静止画像を取得すると、上記ステータステーブルから各ユーザのユーザ名及びステータス情報を読み出し、このユーザ名及びステータス情報を、対応するユーザの静止画像にそれぞれ付して表示部１３に表示する。また、制御部２２は、各ユーザの静止画像を、該各ユーザのステータスに対応する色の枠で囲んで表示する。図５に、このアラーム動作時の表示例を示す。
【００４０】
この図５の表示例は、図４（ｂ）に例示したステータステーブルの内容に対応した表示例となっている。すなわち、図４（ｂ）に示したように、ユーザＡのステータスは「主催者」、ユーザＢのステータスは「参加者」、ユーザＣのステータスは「欠席者」、ユーザＤのステータスは「招待者」である。このため、制御部２２は、アラーム動作時において、図５に示すように主催者であるユーザＡの静止画像を例えば赤色の枠で囲んで表示し、「参加者」のステータスが付されたユーザＢの静止画像を例えば青色の枠で囲んで表示し、「欠席者」のステータスが付されたユーザＣの静止画像を例えば黄色の枠で囲んで表示し、返信が無いことで「招待者」のステータスのままのユーザＤの静止画像は、枠無しで表示する。これにより、各携帯電話機１〜４のユーザに対して、スケジュールに招待された全ユーザ、及び各ユーザの出欠状況を一目瞭然で認識させることができる。
【００４１】
［実施の形態の効果］
以上の説明から明らかなように、この実施の形態の携帯電話機が用いられるスケジューラシステムは、スケジュールの主催者となるユーザがスケジュール情報を作成し、当該スケジュールに関連する他のユーザに対して、該作成したスケジュール情報を添付した電子メールを送信する。この電子メールを受信した各ユーザは、スケジュールに対する出欠を表明する電子メールを、当該スケジュールに関連する全てのユーザに返信する。上記主催者を含めた各ユーザの携帯電話機１〜４は、この返信された電子メールで表明された出欠状況を検出し、ステータステーブルに各ユーザのステータスとして記憶する。そして、スケジュールのアラーム時刻となった際に、当該スケジュールに関連する各ユーザの顔写真等の静止画像に、該各ユーザのユーザ名及び参加或いは欠席を示すステータス情報を付して表示部１３に表示すると共に、各ユーザの静止画像をステータスに応じた色の枠で囲んで表示する。これにより、スケジュールに関連する各ユーザ、及び各ユーザの参加／欠席等のステータスを一目瞭然に認識することができ、簡単かつ効果的にスケジュールの通知を行うことができる。
【００４２】
［変形例］
上述の実施の形態の説明では、本発明を携帯電話機に適用することとしたが、通信機能を備えていれば、ＰＨＳ電話機（PHS：Personal Handyphone System）、ＰＤＡ装置（PDA：Personal Digital Assistant）、携帯ゲーム機、デジタルカメラ装置、ノート型或いはデスクトップ型のパーソナルコンピュータ装置等の他の端末装置に適用してもよい。いずれの場合も上述と同様の効果を得ることができる。
【００４３】
最後に、上述の実施の形態は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００４４】
【図１】本発明を適用した携帯電話機で構成されるスケジューラシステムの構成を示す図である。
【図２】本発明を適用した実施の形態となる携帯電話機のブロック図である。
【図３】実施の形態となる携帯電話機のスケジューラ機能を実現するスケジュール管理プログラムに基づいて制御部が動作した場合における機能ブロック図である。
【図４】実施の形態の携帯電話機のメモリに記憶されているステータステーブルの模式図である。
【図５】実施の形態の携帯電話機におけるアラーム動作時のアラーム表示例を示す図である。
【符号の説明】
【００４５】
１  アンテナ、２  通信回路、３  表示部、４  操作部、５  スピーカ部、６  マイクロホン部、７  カメラ部、８  発光部（ＬＥＤ）、９  バイブレーションユニット、１０  ＲＴＣ（タイマ）、１１  メモリ、１２  制御部、３１  スケジュール情報作成部、３２  スケジュール情報蓄積部、３３  送信情報作成部、３４  送信情報蓄積部、３５  送受信検知部、３６  送受信情報解析部、３７  出欠者情報蓄積部、３８  受信情報蓄積部、３９  電話帳情報蓄積部、４０  時刻管理部、４１  通知制御部、４２  画像情報蓄積部
【図１】
2009151425.tif 000003
【図２】
2009151425.tif 000004
【図３】
2009151425.tif 000005
【図４】
2009151425.tif 000006
【図５】
2009151425.tif 000007